(57)【要約】【課題】内蔵部品であるスライダ部材を小型化し、製品全体を小型化、軽量化する。【解決手段】メモリーカード６を挿入するためのスロット５を有し挿入されたメモリーカード６を収容するケーシング部と、挿入されたメモリーカード６の端子部と接続される端子部を有するメモリーカードコネクタである。ケーシング部内には、スライダ部材８と、このスライダ部材８を付勢するコイルスプリングとを有するスライド機構が設けられている。コイルスプリング９は、スライダ部材８の溝部とケーシング部とで囲まれた空間に配置される。【選択図】　図３
2004119265.tif 000002
【特許請求の範囲】
【請求項１】
記録再生装置に取り付けられ、メモリーカードを挿入するためのスロットを有し挿入されたメモリーカードを収容するケーシング部と、挿入されたメモリーカードの端子部と接続される端子部を有するメモリーカードコネクタにおいて、
上記ケーシング部内には、スライダ部材と、このスライダ部材を付勢するコイルスプリングとを有するスライド機構が設けられ、
上記コイルスプリングは、上記スライダ部材の溝部と上記ケーシング部とで囲まれた空間に配置されていることを特徴とするメモリーカードコネクタ。
【請求項２】
上記スライダ部材に設けられた溝部は、断面円弧状の溝部であることを特徴とする請求項１記載のメモリーカードコネクタ。
【請求項３】
上記ケーシング部はプレートとハウジングとからなり、上記空間の２側面は上記プレートとハウジングにより構成されていることを特徴とする請求項１記載のメモリーカードコネクタ。
【請求項４】
上記スライド機構において、上記スライダ部材はメモリーカードの挿入、排出に伴ってスライドすることを特徴とする請求項１記載のメモリーカードコネクタ。
【発明の詳細な説明】
【０００１】
【発明の属する技術分野】
本発明は、メモリーカードを記録再生装置に装着するためのメモリーカードコネクタに関するものであり、特に、スライド機構の改良に関するものである。
【０００２】
【従来の技術】
内部に情報を記録する半導体素子を有するメモリーカードは、小型、軽量であり、取り扱いが容易であることから、リムーバブルな記録素子として広く用いられている。メモリーカード用の記録再生装置は、メモリーカードを装着し、さらには装着されたメモリーカードを排出するための機構を有し、装着されたメモリーカードにアクセスして情報の記録を行ったり、メモリーカードに記録された情報の読み取りを行う。
【０００３】
メモリーカードを装着し、装着されたメモリーカードを排出するための機構としては、スライダを有するスライド機構が設けられており、メモリーカードコネクタに設けられたコネクタ部を介してメモリーカードと記録再生装置の間でデータの授受が行われるとともに、上記スライダの動作によりメモリーカードの装着位置での固定や円滑な排出動作が行われる。
【０００４】
【発明が解決しようとする課題】
ところで、上記スライド機構においては、スライダ部材を押圧付勢するためのコイルスプリングを設ける必要があり、従来は、図５に示すように、スライダ部材１０１に円筒状の空間を形成してコイルスプリング収納部１０２とし、ここにコイルスプリング１０３を収納するようにしている。
【０００５】
しかしながら、このコイルスプリング収納部１０２は、全周を壁によって囲まれた形状であり、その分の壁厚が必要となっている。このことは、スライダ部材１０１の小型化の妨げになっており、製品全体の小型化、軽量化の妨げに繋がっている。
【０００６】
本発明は、このような従来のものの有する欠点を解消するために提案されたものであり、スライダ部材の余分な壁厚を削減することができ、小型化、軽量化が可能なメモリーカードコネクタを提供することを目的とする。
【０００７】
【課題を解決するための手段】
上述の目的を達成するために、本発明のメモリーカードコネクタは、記録再生装置に取り付けられ、メモリーカードを挿入するためのスロットを有し挿入されたメモリーカードを収容するケーシング部と、挿入されたメモリーカードの端子部と接続される端子部を有するメモリーカードコネクタにおいて、上記ケーシング部内には、スライダ部材と、このスライダ部材を付勢するコイルスプリングとを有するスライド機構が設けられ、上記コイルスプリングは、上記スライダ部材の溝部と上記ケーシング部とで囲まれた空間に配置されていることを特徴とするものである。
【０００８】
本発明のメモリーカードコネクタにおいては、コイルスプリングを収納するための空間を構成する壁面の一部として、ケーシング部を共用している。したがって、スライダ部材においては、コイルスプリング収納部の全周を壁によって囲む必要がなく、その一部を削除し小型化することが可能である。内蔵部品であるスライダ部材を小型化することができれば、製品（メモリーカードコネクタ）全体の小型化、軽量化も可能である。
【０００９】
【発明の実施の形態】
以下、本発明を適用したメモリーカードコネクタについて、図面を参照しながら詳細に説明する。
【００１０】
図１は、本発明を適用したメモリーカードコネクタの一例を示す斜視図である。図２は、上記メモリーカードコネクタ１を分解した状態を示すものであり、図２（ａ）はプレート２を示す平面図、図２（ｂ）はハウジング３を示す平面図である。
【００１１】
本例のメモリーカードコネクタ１は、金属製のプレート２とプラスチック製のハウジング３とを組み合わせることにより構成されるもので、これらを組み合わせることで筐体状のケーシング部が形成されている。
【００１２】
金属製のプレート２は、基本的には窓部２ｂを有する上面板２ａと、その両側に形成された側壁部２ｃとからなり、これらが金属板を折り曲げ加工することにより一体的に形成されている。さらに、上記側壁部２ｃの所定の箇所には、当該側壁部２ｃに対して直交する方向に折り曲げられ、外方に向かって突出する係止片４が形成されており、これを記録再生装置の機器本体内に係止することで、記録再生装置に取り付けるようになっている。
【００１３】
一方、ハウジング３は、プラスチックの成型品よりなり、プレート２と同様、窓部３ｂを有する底面板３ａと、側壁部３ｃとを有する。そして、この側壁部３ｃが上記プレート２の側壁部２ｃの内側に入り込むようにプレート２とハウジング３とを組み合わせることで、メモリーカードを収容するケーシング部が構成される。ケーシング部は、開口部であるスロット５を有し、メモリーカード６は、図１に示すように、このスロット５からメモリーカードコネクタ１に挿入され、装着される。
【００１４】
上記メモリーカードコネクタ１にはコネクタ部７が設けられており、装着されたメモリーカード６においては、このコネクタ部７を介して記録再生装置との間でデータのやり取りが行われる。上記コネクタ部７は、図２（ｂ）に示すように、プラスチック製のハウジング３に複数の端子ピン７ａを配列することにより構成されており、これら端子ピン７ａがメモリーカード６の端子部と接触して電気的な導通が図られる。また、各端子ピン７ａはハウジング３の外部に突出しており、この突出部が記録再生装置に設けられたコネクタ部に接続され、記録再生装置側との接続が図られる。
【００１５】
また、上記メモリーカードコネクタ１には、メモリーカード６の収容及び排出を補助するためのスライダ機構が設けられており、メモリーカード６の円滑な装着動作、排出動作を実現している。
【００１６】
ここで、上記スライダ機構は、図２（ａ）に示すように、プレート２に設けられたスライダ部材８、及びこのスライダ部材８を矢印Ａ方向に付勢するコイルスプリング９と、ハウジング３に設けられた係止ピン１０とから構成され、上記スライダ部材８に形成されたハートカムに上記係止ピン１０を係止することで、スライダ部材８のメモリーカード装着位置での固定及び解除が行われる。
【００１７】
上記スライダ部材８は、その一端部８ａに前述のハートカムが設けられるとともに、メモリーカード６の係止凹部に係合してこれを位置決め固定する金属製の位置決め固定ピン８ｂが植立されている。
【００１８】
また、スライダ部材８の上記一端部８ａの後方部分には、断面円弧状の溝部８ｃが形成されており、図３に示すように、ケーシング部の角部において、この溝部８ｃとプレート２の側壁部２ｃ、及びハウジング２の底面板３ａによって囲まれた空間内に上記コイルスプリング９が挿入されている。
【００１９】
上記のように、プレート２の側壁部２ｃとハウジング２の底面板３ａとをコイルスプリング９の収納空間を構成するための壁面として共用することで、スライダ部材８においては、図４において破線で示す２側面を削除することができる。これにより、内蔵部品であるスライダ部材８を小型化、軽量化することが可能になり、製品全体の小型化、軽量化が可能になる。
【００２０】
なお、コイルスプリング９の基端側には金属製のシャフト１１が挿入されており、これにより上記コイルスプリング９が位置決めされるとともに、座屈が防止される。
【００２１】
さらに、上記プレート２には、内側に折り曲げ形成されたガイド板２ｄが設けられており、上記スライド部材８はこのガイド板２ｄに規制されてスライドするような構成とされている。同時に、図１に示すように、スライド部材８のプレート２と対向する面に凸部８ｄが設けられるとともに、プレート２の上面板２ａに形成されたスリット２ｅにこの凸部８ｄが挿入され、これによってもスライド部材８のスライドがガイドされている。なお、上記ガイド板２ｄの前方部分２ｆは高さが高くなっており、これがスライド部材８に当接してスライド範囲を規制するストッパとしての役割を果たしている。
【００２２】
メモリーカード６を挿入した際には、メモリーカード６は上記スライダ部材８とともにコイルスプリング９に抗して押し込まれる。所定の位置まで押し込まれると、スライダ部材８はハートカム機構により位置決め固定され、それと同時にメモリカード６も位置決め固定ピン８ｂによって位置決め固定される。このとき、メモリーカード６の端子部は、上記ハウジング３側のコネクタ部７の各接続ピン７ａと接続される。メモリーカード６を取り出す際には、一度メモリーカード６を少し押し込む。すると、上記ハートカム機構による位置決め固定状態が解除され、スライダ部材８はコイルスプリング９によって押圧され、矢印Ｂ方向にスライドする。これに伴ってメモリーカード６も排出され、メモリーカードコネクター１のケーシング部から突出する。このメモリーカード６の突出部分を指でつまんで取り出せばよい。
【００２３】
【発明の効果】
以上の説明からも明らかなように、本発明においては、コイルスプリングの収納空間を構成する壁面の一部としてケーシング部を利用しているので、これに対応する部分を削除してスライダ部材を小型化、軽量化することが可能である。したがって、製品全体、すなわちメモリーカードコネクタ全体の小型化、軽量化を図ることが可能である。
【図面の簡単な説明】
【図１】本発明を適用したメモリーカードコネクタの一例を示す概略斜視図である。
【図２】メモリーカードコネクタを分解した状態を示すものであり、（ａ）はプレートの概略平面図、（ｂ）はハウジングの概略平面図である。
【図３】コイルスプリング収納用の空間部分を破断して示す要部概略斜視図である。
【図４】スライダ部材における削除の様子を示す概略斜視図である。
【図５】スライダ部材に円筒状の空間として形成されたコイルスプリング収納部の一例を示す概略斜視図である。
【符号の説明】
１　　　　　メモリーカードコネクタ
２　　　　　プレート
２ａ　　　　上面板
２ｃ　　　　側壁部
３　　　　　ハウジング
３ａ　　　　底面板
３ｃ　　　　側壁部
５　　　　　スロット
６　　　　　メモリーカード
７　　　　　コネクタ部
８　　　　　スライダ部材
８ｃ　　　　溝部　　９　　　　　コイルスプリング
【図１】
2004119265.tif 000003
【図２】
2004119265.tif 000004
【図３】
2004119265.tif 000005
【図４】
2004119265.tif 000006
【図５】
2004119265.tif 000007